(57)【要約】【課題】  デジタル印刷機で順次印刷する場合においても、少なくとも一つの別丁を安価かつ少ない人的負担で挿入することを可能とする方法及び設備を実現することである。【解決手段】  印刷機（２）で印刷された刷り本が、それぞれ折り機（２１）で折られて、積み重ね装置（２０）に移送され、そこで本の中身（１７）として積み重ねられる。少なくとも一つの別丁（Ａ，Ｂ）が、単独の刷り本（Ｓ１，Ｓ２）に付与され、これらの刷り本（Ｓ１，Ｓ２）と付与された別丁（Ａ，Ｂ）から成る製作物（ＳＡ，ＳＢ）が、一纏まりとして移送されて、積み重ねられる。有利には、別丁（Ａ，Ｂ）は、第二の移送装置（４）に供給され、この装置により単独の刷り本（Ｓ１，Ｓ２）に添付される。この単独の刷り本（Ｓ）は、有利にはデジタル印刷機（２）で順次印刷されたものである。【選択図】  図１
2005212484.tif 000002
【特許請求の範囲】
【請求項１】
少なくとも一つの刷り本（Ｓ）及び別丁（Ａ，Ｂ）から成る、本、パンフレット、雑誌などの印刷物を製作する方法であって、順次印刷される複数の刷り本（Ｓ）を製本して作成し、積み重ね装置で一纏めにして積み重ねる方法において、別丁（Ａ，Ｂ）が、積み重ね装置（２０）に対する第一の移送装置（３）の移送路上で刷り本（Ｓ）に付与されることを特徴とする方法。
【請求項２】
一つの刷り本（Ｓ）に対して、少なくとも一つの別丁（Ａ，Ｂ）が付与されることを特徴とする請求項１に記載の方法。
【請求項３】
刷り本（Ｓ）を印刷するために、デジタル印刷機（２）が配備されていることを特徴とする請求項１又は２に記載の方法。
【請求項４】
別丁（Ａ，Ｂ）が、紙送り装置（１８，１９）を用いてスタック（７，８）から繰り出されて、刷り本（Ｓ）に付与されることを特徴とする請求項１から３までのいずれか一つに記載の方法。
【請求項５】
デジタル印刷機（２）から出力される別丁（Ａ，Ｂ）が、刷り本（Ｓ）に付与されることを特徴とする請求項１から３までのいずれか一つに記載の方法。
【請求項６】
別丁（Ａ，Ｂ）の供給が、第二の移送装置（４）によって行われ、第一の移送装置（３）によって移送される刷り本（Ｓ）に添付されることを特徴とする請求項４又は５に記載の方法。
【請求項７】
別丁（Ａ，Ｂ）に対して、接合手段、例えば接着剤が塗布されることを特徴とする請求項１から６までのいずれか一つに記載の方法。
【請求項８】
刷り本（Ｓ）に対する第一の移送装置（３）と本の中身を作成するための積み重ね装置（２０，２０’）とを有する、請求項１から７までのいずれか一つに記載の方法を実行するための設備において、第一の移送装置（３）の途中に、この第一の移送装置（３）に合流する第二の移送装置（４）が配備されており、この第二の移送装置を用いて、一つの刷り本（Ｓ）に少なくとも一つの別丁（Ａ，Ｂ）を供給することが可能であることを特徴とする設備。
【請求項９】
当該の第一の移送装置（３）に前置された、当該の刷り本（Ｓ）を順次処理するように構成されたデジタル印刷機（２）を有する請求項８に記載の設備。
【請求項１０】
当該の第二の移送装置（４）の途中に、当該の別丁（Ａ，Ｂ）に接着剤を付与する接着剤供給装置（１２）が配備されていることを特徴とする請求項８又は９に記載の設備。
【発明の詳細な説明】
【技術分野】
【０００１】
この発明は、少なくとも一つの刷り本及び別丁から成る、本、パンフレット、雑誌などの印刷物を製作する方法であって、順次印刷される複数の刷り本（Ｓ）を製本して作成し、積み重ね装置で一纏めにして積み重ねる方法及びこの方法を実行するための設備に関する。
【背景技術】
【０００２】
刷り本及び別丁から成る本を製作することは周知である。この別丁は、例えば折り返し又はポケットを持つ紙である。そのような紙は、別に処理しなければならず、そのため刷り本のように通常の印刷機で印刷して、次に折り機で折ることができない。この別丁は、別の印刷機で印刷された多色刷りの印刷紙とすることもできる。打ち出し模様、穴、組み込みチップ等を持つ別丁も考えられる。これまでは、そのような別丁を未だ製本されていない本の中身に手で添付するのが普通であった。これは、特に別丁を本の中身の正確な位置に挿入することに留意しなければならないので、比較的負担のかかることである。
【０００３】
本の中に綴じ込み、例えばカードを挿入する方法が周知である。この製作法は、複数の紙送り装置から成る集積機械を用いて行われる。これらの紙送り装置の中の少なくとも一つは、マガジン内に挿入するカードを保持しており、このカードは、次に紙送りドラムを用いてマガジンから繰り出されて、それらで構成される本の中身に添付される。本の中身が出来たら、それは綴じられて、次に裁断される。この方法は、本、例えば雑誌にカードを自動的に挿入することを可能とする。この繰り出し時に、そのようなカードに接着剤を付けることも周知である。この方法は、集積機械及びそれに対応する紙送り装置を前提としている。しかし、デジタル印刷機を用いて順次印刷する方法には適していない。デジタル印刷機を用いて刷り本を順次印刷することは、少量のセットも安価に製作することができるという特別な利点を有する。
【発明の開示】
【発明が解決しようとする課題】
【０００４】
この発明の課題は、デジタル印刷機を用いて順次印刷する場合においても、少なくとも一つの別丁を安価かつ少ない人的負担で挿入することを可能とする、初めに述べた種類の方法及び設備を実現することである。
【課題を解決するための手段】
【０００５】
この課題は、この種類の方法において、積み重ね装置に対する第一の移送装置の移送路上で、刷り本に別丁を付与することによって解決される。従って、この発明による方法では、単独の刷り本に対して別丁を添付するものであり、そのため従来のように既に出来上がった本の中身における前もって決められた位置に挿入するものではない。次に、この単独の刷り本と別丁から成る製作物は、通常の別の刷り本のように本の中身に積み重ねられる。それに続いて、この挿入された別丁を含む、この本の中身は、通常のとおり処理、特に装丁、例えば糊付け製本して、裁断することができる。本は、通常の本、雑誌、パンフレット等とすることができる。また、難なく複数の別丁を挿入することができる。例えば、一つの別丁は、折り返しを有し、別の別丁は、色刷りとしたり、例えば打ち出し模様又はホログラムを有することができる。この方法は、順次印刷するものに限定されるものではないが、有利にはそのような印刷に利用される。
【０００６】
この発明による方法の基本的な利点は、本又は本の中身を製作する際における高い柔軟性にある。別丁と刷り本は、大きな置き換え処理無しで変更することができ、その結果価値の高い本が、少量のセットでも安価に製作可能である。
【０００７】
この発明の改善構成では、当該の別丁を、紙送り装置を用いてスタックから繰り出して、次に単独の刷り本に添付するものと規定する。この方法は、特に高い自動化と性能を可能とするものである。
【０００８】
この発明の別の改善構成では、当該の別丁を第二の移送装置に供給して、この装置を用いて、第一の移送装置を用いて順次移送されている単独の刷り本と一体化するものと規定する。この場合、この第二の移送装置は、有利には紙送り装置を備える。この場合、この第二の移送装置にそれぞれ一つの別丁を送る、そのような紙送り装置を複数利用することができる。こうすることによって、複数の異なる別丁を持つ本の中身を構成するとともに、それらの別丁を本の中身の異なる位置に配備することが可能となる。この場合、当該の別丁は、有利には例えば折り機の後ではあるが、積み重ね装置の前に、第一の移送装置によって運ばれる刷り本に付与される。
【０００９】
この発明の改善構成では、当該の別丁に、例えばサイズがより小さい紙に、当該の刷り本との一体化の前に接合手段を付与するものと規定する。この接合手段は、例えば糊、接着剤又はステープルである。こうすることによって、当該の別丁を当該の刷り本上に確実に位置付けて、その当該の刷り本に対する位置関係がもはや変化できないことを保証することができる。従って、こうすることにって、その後の移送においても変わることがない、刷り本と別丁とから成る製作物が実現される。こうすることによって、当該の別丁を、本の中身又は完成した本において正確に位置付けることを実現することができる。この方法は、当該の別丁がより小さい形状を持つか、又は特殊な形で当該の刷り本に配置されることが求められる場合に特に効果的である。すなわち、当該の別丁は、本の中身を形成する前に既に正確に位置付けられるものである。刷り本と別丁の接合は、暫定的なものとすることもできる。
【００１０】
この発明の改善構成では、当該の別丁上に、例えば吹付けノズルを用いて、糊又は接着剤が塗布される。その直ぐ後に、当該の別丁は、当該の単独の刷り本上に貼られて、糊又は接着剤により、この単独の刷り本と接合される。
【００１１】
更に、この発明は、この方法を実行するための設備に関する。この設備は、刷り本に関する第一の移送装置及び本の中身を形成するための積み重ね装置を有する。そのような設備において、この発明にもとづき、この設備は、第一の移送装置によって運ばれる単独の刷り本に、別丁を添付することが可能である第二の移送装置を有するものと規定する。
【００１２】
この発明の改善構成では、第一の移送装置に対して、当該の刷り本を順次印刷するデジタル印刷機を前置することができる。
【００１３】
その他の有利な特徴は、従属請求項、以下の記述並びに図面から明らかとなる。
【発明を実施するための最良の形態】
【００１４】
以下において、唯一つの図面にもとづき、この発明の実施例を説明する。この図面は、この発明による設備の立体的な模式図を示している。
【００１５】
この唯一の図面に図示された設備１は、印刷機２を有し、この印刷機は、有利には順次印刷することができるデジタル印刷機である。この印刷機２の後には、周知の方法で刷り本Ｓをクロス折り(Kreuzfalz) で折る折り機２１が配備されている。これらの刷り本Ｓは、順次第一の移送装置３に供給される。唯一の図面には、別々に印刷されて、例えば雑誌となる刷り本Ｓ１〜Ｓ７が図示されている。
【００１６】
この設備１は、第二の移送装置４を有する。別丁Ａ及びＢは、この第二の移送装置４を用いて移送され、明らかなとおり第一の移送装置３に供給される。これらの別丁Ａ及びＢは、デジタル印刷機で印刷し、それぞれ紙送り装置１８又は１９を用いてスタック７又は８から繰り出して、第二の移送装置４に供給することもできる。これらの紙送り装置１８及び１９は、それぞれ軸１１の周りを駆動されるドラム１９を有する周知のドラム式紙送り装置とすることができる。これらのドラム９は、掴み具１０を有し、これらの掴み具を用いて、スタック７又は８から、それぞれ別丁Ａ又はＢが繰り出されて、下の方に第二の移送装置４上に供給される。スタック７及び８は、それぞれマガジン５又は６内に積み重ねられている。これらのマガジン５及び６は、手で又は機械により装入することができる。
【００１７】
別丁Ａ及びＢ上には、装置１２を用いて、留め手段、特に接着剤が塗布される。この装置１２は、容器１３を有し、この容器から導管１４を介してノズル１５又は別の塗布手段に接着剤が供給される。必要な場合、この接着剤は、ノズル１５を用いて別丁Ａ又はＢの下側に吹き付けられる。この接着剤は、有利には熱間硬化接着剤である。この塗布は、点状に又は任意に行うことができる。当然のことながら、この接着剤は、塗布が可能であり、特に相応の位置に印刷されていない別丁Ａ及びＢ上にだけ塗布される。吹き付けられた接着剤の領域は、その後、例えば糊付け製本の際に切り離すことができる。この装置は、ここでは図示されていない制御装置によって制御される。別の図示されていない制御装置は、センサー１６と接続されており、このセンサーは、信号によって別丁Ａ又はＢの位置を検出し、別丁Ａ又はＢが所望の位置で刷り本Ｓと一体化することが保証されるように、移送装置を制御するものである。
【００１８】
第一の移送装置３は、第二の移送装置４によって別丁Ａ又はＢを供給される。この場合、単独の刷り本Ｓ１又はＳ２は、下又は上から別丁Ａ又はＢに付与される。明らかなとおり、刷り本Ｓ１及びＳ２は、第二の移送装置４の平面において、下から一枚の紙に添付される。別丁Ａ又はＢは、対応する刷り本Ｓ１又はＳ２とともに製作物ＳＡ又はＳＢを構成し、この製作物は、更に通常の刷り本Ｓとともに順次移送される。この製作物ＳＡ又はＳＢにおいて、別丁Ａ又はＢは、接着剤を塗布されている場合には、対応する刷り本Ｓ１又はＳ２としっかりと接合されている。別の処理において、別丁Ａ又はＢは、刷り本Ｓ１又はＳ２に対してもはや位置をずらすことができない。刷り本Ｓ１又はＳ２を対応する別丁Ａ又はＢと機械的に、例えば糸綴じによって接合する実施形態も考えられる。
【００１９】
刷り本Ｓ及び製作物ＳＡ並びにＳＢは、積み重ね装置２０において、本の中身１７に積み重ねられる。従って、この本の中身１７は、所望の順番で刷り本Ｓ１〜Ｓ７並びに別丁Ａ及びＢを有する。そして、この本の中身１７は、周知の方法で装丁されて、次に裁断される。この場合、この本の中身１７は、ここでは図示していない表紙を付与することができる。例えば糊付け製本、糸綴じ等のすべての装丁方式が可能である。
【００２０】
図示されているとおり、二つ以上の積み重ね装置２０及び２０’を配備することも可能であり、その際積み重ね装置２０又は２０’には異なる本の中身１７又は１７’が形成される。図示した実施例では、積み重ね装置２０では、三つの別丁Ｂとともに本の中身１７が、積み重ね装置２０’では、一つの別丁Ａとともに本の中身１７’が形成されている。この場合、難なくかつ負担のかかる置き換え処理無しに、別丁Ａと別丁Ｂの両方を持つ本の中身を形成することも可能である。同様に、刷り本Ｓは、簡単な方法で変更することができる。
【図面の簡単な説明】
【００２１】
【図１】この発明による設備の立体的な模式図
【符号の説明】
【００２２】
２    印刷機
３    第一の移送装置
４    第二の移送装置
５，６    マガジン
７，８    スタック
９    ドラム
１０    掴み具
１１    ドラム９の軸
１２    接着剤供給装置
１３    容器
１４    導管
１５    ノズル
１６    センサー
１７，１７’    本の中身
１８，１９    紙送り装置
２０，２０’    積み重ね装置
２１    折り機
Ａ，Ｂ    別丁
Ｓ１〜Ｓ７  刷り本
ＳＡ，ＳＢ    製作物
【図１】
2005212484.tif 000003